(57)【特許請求の範囲】
【請求項１】
通信信号を受信可能な通信回路と、前記通信回路が前記通信信号を受信するための受信感度を調節する調節部と、前記通信回路および前記調節部を制御する制御回路と、所望の通信ネットワークに新規参入するための設定を行う設定部とを備え、
前記制御回路は、前記設定部により前記設定が行われるときに、前記調節部により前記受信感度を低下させるように構成され、
前記制御回路は、前記設定部により前記設定が完了した後に、前記調節部により前記受信感度を上昇させるように構成されている
ことを特徴とする通信装置。
【請求項２】
前記所望の通信ネットワークの構成要素である親機との間で通信可能な子機である
ことを特徴とする請求項１記載の通信装置。
【請求項３】
複数のネットワーク識別情報のうち１つのネットワーク識別情報を前記所望の通信ネットワークのネットワーク識別情報と判断する判断部と、前記通信回路により受信された前記通信信号の受信品質レベルと当該通信信号に含まれたネットワーク識別情報とを記憶する記憶部とを、更に備え、
前記制御回路は、前記設定部により前記設定が行われるときに、前記記憶部に記憶された前記受信品質レベルおよび前記ネットワーク識別情報に基づいて、前記ネットワーク識別情報ごとの前記受信品質レベルの統計データを作成するように構成され、
前記判断部は、前記制御回路により複数の前記統計データが作成された後、前記複数の前記統計データのうち前記受信品質レベルが相対的に高い前記統計データの前記ネットワーク識別情報を、前記所望の通信ネットワークのネットワーク識別情報と判断するように構成されている
ことを特徴とする請求項２記載の通信装置。
【請求項４】
複数のネットワーク識別情報のうち１つのネットワーク識別情報を前記所望の通信ネットワークのネットワーク識別情報と判断する判断部と、前記通信回路により受信された前記通信信号のＳＮ比と当該通信信号に含まれたネットワーク識別情報とを記憶する記憶部とを、更に備え、
前記制御回路は、前記設定部により前記設定が行われるときに、前記記憶部に記憶された前記ＳＮ比および前記ネットワーク識別情報に基づいて、前記ネットワーク識別情報ごとの前記ＳＮ比の統計データを作成するように構成され、
前記判断部は、前記制御回路により複数の前記統計データが作成された後、前記複数の前記統計データのうち前記ＳＮ比が相対的に高い前記統計データの前記ネットワーク識別情報を、前記所望の通信ネットワークのネットワーク識別情報と判断するように構成されている
ことを特徴とする請求項２記載の通信装置。
【請求項５】
請求項１ないし請求項４のいずれか１項に記載の通信装置を、複数備えている
ことを特徴とする通信システム。
【請求項６】
複数の前記通信装置それぞれの前記通信回路は、前記通信信号を送信可能に構成され、
複数の前記通信装置の各々は、前記設定部により前記設定が行われるときに、異なる前記通信装置から送信された前記通信信号を、複数回、受信するように構成されている
ことを特徴とする請求項５記載の通信システム。
【発明の詳細な説明】
【技術分野】
【０００１】
本発明は、一般に、通信装置およびそれを用いた通信システム、より詳細には、有線もしくは無線を媒体として他の通信装置と通信を行う通信装置およびそれを用いた通信システムに関する。
【背景技術】
【０００２】
従来、通信の範囲外の端末との通信を抑制する通信システムが提案されている（特許文献１）。
【０００３】
特許文献１には、親局と複数の子局とが通信路を通して通信を行うネットワーク（以下、「通信ネットワーク」）が、記載されている。親局は、通信ネットワークにおける端末を構成する。複数の子局の各々も、上記端末を構成する。上記通信路は、例えば、低圧配電線である。低圧配電線は、変圧器の二次側に接続されている。変圧器の一次側には、高圧配電線が接続されている。
【０００４】
また、特許文献１には、複数の通信ネットワークが記載されている。複数の通信ネットワークの各々は、互いに通信することなく、独立している。
【０００５】
上記端末は、端末処理部と、受信回路と、判断部と、感度調節部とを備えている。端末処理部は、マイクロコンピュータからなる。受信回路は、上記通信路を伝送する通信信号を、受信するように構成されている。判断部は、受信回路により受信された上記通信信号から各通信ネットワーク間でクロストークが発生しているか否かを判断するように構成されている。感度調節部は、判断部により上記クロストークが発生していると判断されたとき、受信感度を引き下げるように構成されている。
【０００６】
上記端末は、判断部により上記クロストークが発生していると判断されたとき、感度調節部により受信感度を引き下げる。これにより、上記端末は、上記クロストークによって漏洩された他の通信信号を受信回路で受信するのを、抑制することが可能となる。よって、上記端末は、上記クロストークに起因した誤動作を防止することが可能となる。
【０００７】
また、上記端末は、判断部により上記クロストークが発生していないと判断されたとき、感度調節部により受信感度を引き上げる。
【先行技術文献】
【特許文献】
【０００８】
【特許文献１】特開２０１２−２４４５４０号公報
【発明の概要】
【発明が解決しようとする課題】
【０００９】
上記端末では、例えば、上記複数の通信ネットワークのうちの所望の通信ネットワークに新規参入するとき、判断部により上記クロストークが発生していると判断されると、感度調節部により受信感度を引き下げる。よって、上記端末では、所望の通信ネットワークに新規参入するとき、異なる通信ネットワークからの上記クロストークによって漏洩された他の通信信号を受信回路で受信するのを、抑制することが可能となる。これにより、上記端末では、所望の通信ネットワークに新規参入するとき、異なる通信ネットワークに誤参入するのを抑制することが可能となる。
【００１０】
しかしながら、上記端末では、所望の通信ネットワークに新規参入した後、判断部により上記クロストークが発生していると判断されると、感度調節部により受信感度を引き下げた状態を維持する。よって、上記端末では、所望の通信ネットワークに新規参入した後、例えば、上記通信路にノイズが重畳されたとき、ＳＮ比が低下する可能性がある。
【００１１】
本発明の目的は、所望の通信ネットワークに新規参入するときに異なる通信ネットワークに誤参入するのを抑制可能で、かつ、新規参入した後に通信性能が低下するのを抑制可能な通信装置およびそれを用いた通信システムを提供することにある。
【課題を解決するための手段】
【００１２】
本発明の通信装置は、通信信号を受信可能な通信回路と、前記通信回路が前記通信信号を受信するための受信感度を調節する調節部とを備えている。また、本発明の通信装置は、前記通信回路および前記調節部を制御する制御回路と、所望の通信ネットワークに新規参入するための設定を行う設定部とを備えている。前記制御回路は、前記設定部により前記設定が行われるときに、前記調節部により前記受信感度を低下させるように構成されている。また、前記制御回路は、前記設定部により前記設定が完了した後に、前記調節部により前記受信感度を上昇させるように構成されている。
【００１３】
本発明の通信システムは、前記通信装置を、複数備えている。
【発明の効果】
【００１４】
本発明の通信装置においては、所望の通信ネットワークに新規参入するときに異なる通信ネットワークに誤参入するのを抑制可能で、かつ、新規参入した後に通信性能が低下するのを抑制可能となる。
【００１５】
本発明の通信システムにおいては、所望の通信ネットワークに新規参入するときに異なる通信ネットワークに誤参入するのを抑制可能で、かつ、新規参入した後に通信性能が低下するのを抑制可能な通信装置を備えた通信システムを、提供することができる。
【図面の簡単な説明】
【００１６】
【図１】実施形態１の通信装置を示す概略構成図である。
【図２】実施形態１の通信システムを説明する概略構成図である。
【図３】実施形態１の通信装置における複数の統計データを示す分布図である。
【図４】実施形態２の通信装置を示す概略構成図である。
【図５】実施形態２の通信装置における複数の統計データを示す分布図である。
【発明を実施するための形態】
【００１７】
（実施形態１）
以下では、本実施形態の通信装置１０について、図１および図２を参照しながら説明する。なお、以下では、説明の便宜上、通信装置１０を用いた通信システム３０（図２参照）を説明した後に、通信装置１０を詳細に説明する。
【００１８】
通信システム３０は、例えば、複数（本実施形態では、２つ）の通信ネットワーク２０を備えている。複数の通信ネットワーク２０の各々は、複数の通信装置１０を備えている。要するに、通信システム３０は、複数の通信装置１０を備えている。なお、通信システム３０は、複数の通信ネットワーク２０を備えているが、１つの通信ネットワーク２０のみを備えていてもよい。
【００１９】
通信システム３０は、例えば、遠隔検針システムとして用いられる。遠隔検針システムとは、例えば、集合住宅における各住戸の電力使用量を遠隔で検針するシステムを意味する。
【００２０】
複数の通信装置１０の各々は、例えば、電力線（以下、「第１電力線」）２３を媒体として他の通信装置１０と通信を行うように構成されている。各通信装置１０の間で行う通信は、例えば、電力線搬送通信である。
【００２１】
第１電力線２３は、例えば、低圧の配電線である。低圧とは、例えば、１００Ｖもしくは２００Ｖの交流電圧を意味する。第１電力線２３は、変圧器２２の二次側と電気的に接続されている。変圧器２２は、例えば、柱上変圧器である。変圧器２２の一次側は、第２電力線２１と電気的に接続されている。第２電力線２１は、例えば、高圧の配電線である。高圧とは、例えば、６６００Ｖの交流電圧を意味する。
【００２２】
複数の通信装置１０のうちの１つの通信装置１０は、親機１１である。複数の通信装置１０のうちの残りの通信装置１０は、子機１２である。複数の子機１２の各々は、例えば、スマートメータである。
【００２３】
親機１１は、複数の子機１２との間で通信を行うように構成されている。言い換えれば、複数の子機１２の各々は、親機１１との間で通信を行うように構成されている。
【００２４】
複数の子機１２の各々は、分電盤Ａ１と電気的に接続されている。また、複数の子機１２の各々は、分電盤Ａ１と通信可能に構成されている。具体的に説明すると、複数の子機１２の各々は、例えば、第３電力線２４を媒体として分電盤Ａ１と通信を行うように構成されている。第３電力線２４は、例えば、低圧の配電線である。子機１２と分電盤Ａ１との間で行う通信は、例えば、電力線搬送通信である。なお、複数の子機１２の各々は、第３電力線２４を媒体として分電盤Ａ１と通信を行うように構成されているが、この構成に限らない。複数の子機１２の各々は、例えば、電波を媒体として分電盤Ａ１と通信を行うように構成されていてもよい。この場合、子機１２と分電盤Ａ１との間で行う通信は、例えば、９２０ＭＨｚ帯の特定小電力無線通信である。子機１２と分電盤Ａ１との間で行う通信は、例えば、無線ＬＡＮ通信であってもよい。
【００２５】
通信システム３０は、分電盤Ａ１を構成要素として含まないが、分電盤Ａ１を構成要素として含めてもよい。
【００２６】
複数の通信装置１０の各々は、一定時間ごとに、ネットワーク識別情報と装置識別情報とを含む通信信号を、他の通信装置１０へ送信するように構成されている。具体的に説明すると、親機１１は、上記一定時間ごとに、ネットワーク識別情報と装置識別情報とを含む通信信号を、複数の子機１２の各々へ送信するように構成されている。複数の子機１２の各々は、上記一定時間ごとに、ネットワーク識別情報と装置識別情報とを含む通信信号を、親機１１へ送信するように構成されている。ネットワーク識別情報とは、複数の通信ネットワーク２０それぞれを識別するための情報を意味する。装置識別情報とは、複数の通信装置１０それぞれを識別するための情報を意味する。ネットワーク識別情報は、複数の通信ネットワーク２０の各々に予め設定されている。装置識別情報は、複数の通信装置１０の各々に予め設定されている。なお、以下では、説明の便宜上、ネットワーク識別情報と装置識別情報とを含む通信信号を、単に「通信信号」と称する。
【００２７】
通信装置１０は、図１に示すように、通信回路１と、調節部２と、制御回路３と、設定部４とを備えている。
【００２８】
通信回路１は、通信信号を送信および受信可能に構成されている。通信回路１は、例えば、上記通信信号を送信する送信回路（図示せず）と、上記通信信号を受信する受信回路（図示せず）とを備えている。
【００２９】
調節部２は、通信回路１が上記通信信号を受信するための受信感度を調節するように構成されている。調節部２は、通信回路１と電気的に接続されている。
【００３０】
制御回路３は、通信回路１および調節部２を制御するように構成されている。制御回路３は、例えば、第１プログラムが搭載された第１マイクロコンピュータである。第１プログラムは、例えば、上記第１マイクロコンピュータに予め設けられた第１メモリ（図示せず）に記憶されている。制御回路３は、通信回路１と電気的に接続されている。また、制御回路３は、調節部２と電気的に接続されている。
【００３１】
通信装置１０では、調節部２が制御回路３とは別体に構成されているが、この構成に限らない。調節部２は、制御回路３と一体に構成されていてもよい。この場合、調節部２は、例えば、上記第１マイクロコンピュータで実行される上記第１プログラムにより構成されていてもよい。
【００３２】
設定部４は、所望の通信ネットワーク２０に新規参入するための設定を行うように構成されている。設定部４は、制御回路３と電気的に接続されている。所望の通信ネットワーク２０に新規参入するための設定とは、所望の通信ネットワーク２０のネットワーク識別情報を、自身の通信装置１０に登録するための設定を意味する。本実施形態では、通信装置１０が所望の通信ネットワーク２０に新規参入するときの設定時に、上記一定時間を、例えば、３分〜１０分の範囲内の時間に設定してある。また、本実施形態では、通信装置１０が所望の通信ネットワーク２０に新規参入した後の通常時に、上記一定時間を、例えば、２０分〜６０分の範囲内の時間に設定してある。
【００３３】
設定部４は、例えば、操作部１４と、実行部１５とを備えている。操作部１４は、所望の通信ネットワーク２０に新規参入するための設定を行うか否かを選択するように構成されている。操作部１４は、例えば、押釦スイッチである。実行部１５は、操作部１４により上記設定を行うと選択されたときに、上記設定を行うように構成されている。
【００３４】
通信装置１０では、実行部１５が制御回路３と別体に構成されているが、この構成に限らない。実行部１５は、制御回路３と一体に構成されていてもよい。この場合、実行部１５は、例えば、上記第１マイクロコンピュータで実行される上記第１プログラムにより構成されていてもよい。
【００３５】
制御回路３は、設定部４により上記設定が行われるときに、調節部２により上記受信感度を低下させるように構成されている。具体的に説明すると、制御回路３は、設定部４により上記設定が行われるときに、調節部２により上記受信感度を、通常感度から抑制感度に引き下げるように構成されている。これにより、通信装置１０は、所望の通信ネットワーク２０に新規参入するとき、例えば、異なる通信ネットワーク２０からのクロストークによって漏洩された他の通信信号を通信回路１で受信するのを、抑制することが可能となる。よって、通信装置１０では、所望の通信ネットワーク２０に新規参入するとき、異なる通信ネットワーク２０に誤参入するのを抑制することが可能となる。通常感度とは、通信回路１に予め設定された基準感度を意味する。抑制感度とは、通常感度よりも低い感度で、かつ、所望の通信ネットワーク２０に属する他の通信装置１０からの通信信号を受信可能な感度を意味する。なお、制御回路３は、調節部２により上記受信感度を、通常感度から抑制感度に引き下げるとき、上記受信感度を段階的に引き下げてもよい。
【００３６】
また、制御回路３は、設定部４により上記設定が完了した後に、調節部２により上記受信感度を上昇させるように構成されている。具体的に説明すると、制御回路３は、設定部４により上記設定が完了した後に、調節部２により上記受信感度を、抑制感度から通常感度に戻すように構成されている。これにより、通信装置１０では、所望の通信ネットワーク２０に新規参入した後に、例えば、第１電力線２３にノイズが重畳されたとき、ＳＮ比が低下するのを抑制することが可能となる。つまり、通信装置１０では、所望の通信ネットワーク２０に新規参入した後、通信性能が低下するのを抑制することが可能となる。上記設定が完了した後とは、所望の通信ネットワーク２０のネットワーク識別情報を、自身の通信装置１０に登録した後を意味する。なお、制御回路３は、調節部２により上記受信感度を、抑制感度から通常感度に戻すとき、上記受信感度を段階的に戻してもよい。また、制御回路３は、調節部２により上記受信感度を、抑制感度から通常感度に戻すとき、抑制感度に引き下げる前の通常感度に必ずしも戻す必要はない。すなわち、抑制感度に引き下げた後の通常感度は、抑制感度に引き下げる前の通常感度と必ずしも一致させる必要はない。
【００３７】
また、通信装置１０では、設定部４により上記設定が完了した後に、調節部２により上記受信感度を上昇させるので、設定部４により上記受信感度を低下させた状態を維持する場合に比べて、通信速度を向上させることが可能となる。
【００３８】
通信装置１０は、判断部５と、記憶部６とを、更に備えている。具体的に説明すると、制御回路３は、判断部５と、記憶部６とを備えている。
【００３９】
判断部５は、複数の通信ネットワーク２０のうち１つの通信ネットワーク２０を所望の通信ネットワーク２０と判断するように構成されている。言い換えれば、判断部５は、複数のネットワーク識別情報のうち１つのネットワーク識別情報を所望の通信ネットワーク２０のネットワーク識別情報と判断するように構成されている。判断部５は、例えば、上記第１マイクロコンピュータで実行される上記第１プログラムにより構成されている。なお、以下では、説明の便宜上、２つの通信ネットワーク２０を、「第１通信ネットワーク２０ａおよび第２通信ネットワーク２０ｂ」と称することもある。また、以下では、説明の便宜上、第１通信ネットワーク２０ａのネットワーク識別情報を「第１ネットワーク識別情報」と称することもある。さらに、以下では、説明の便宜上、第２通信ネットワーク２０ｂのネットワーク識別情報を「第２ネットワーク識別情報」と称することもある。
【００４０】
記憶部６は、通信回路１により受信された上記通信信号の受信品質レベルと上記通信信号に含まれたネットワーク識別情報とを記憶するように構成されている。記憶部６は、例えば、上記第１メモリである。受信品質レベルとは、通信回路１により受信された上記通信信号の受信品質を相対的に数値化した値を意味する。
【００４１】
制御回路３は、設定部４により上記設定が行われるときに、記憶部６に記憶された受信品質レベルおよびネットワーク識別情報に基づいて、ネットワーク識別情報ごとの受信品質レベルの統計データ（図３参照）を作成するように構成されている。図３中の横軸は、上記通信信号の受信品質レベルを表している。図３中の縦軸は、頻度を表している。図３中の実線は、第１ネットワーク識別情報における受信品質レベルの統計データを表している。図３中の一点鎖線は、第２ネットワーク識別情報における受信品質レベルの統計データを表している。図３では、所望の通信ネットワーク２０が第１通信ネットワーク２０ａ（図１参照）である場合の複数の統計データを表している。
【００４２】
判断部５は、制御回路３により複数の統計データが作成された後、複数の統計データのうち受信品質レベルが相対的に高い統計データのネットワーク識別情報を、所望の通信ネットワーク２０のネットワーク識別情報と判断するように構成されている。図３に基づいて説明すると、判断部５は、制御回路３により複数の統計データが作成された後、複数の統計データのうち受信品質レベルが相対的に高い統計データの第１ネットワーク識別情報を、所望の通信ネットワーク２０のネットワーク識別情報と判断する。これにより、通信装置１０では、所望の通信ネットワーク２０に新規参入するとき、異なる通信ネットワーク２０に誤参入するのを、より抑制することが可能となる。
【００４３】
複数の通信装置１０の各々は、設定部４により上記設定が行われるときに、異なる通信装置１０から送信された上記通信信号を、複数回、受信するように構成されていることが好ましい。例えば、所望の通信ネットワーク２０に新規参入させる子機１２は、設定部４により上記設定が行われるときに、他の子機１２および親機１１それぞれから送信された上記通信信号を、複数回、受信するように構成されていることが好ましい。これにより、通信システム３０では、複数の通信装置１０それぞれの制御回路３により作成された複数の統計データの精度を高めることが可能となる。よって、通信システム３０では、複数の通信装置１０の各々が、所望の通信ネットワーク２０に新規参入するとき、異なる通信ネットワーク２０に誤参入するのを、より一層抑制することが可能となる。
【００４４】
複数の通信装置１０の各々は、第１電力線２３を媒体として他の通信装置１０と通信を行うように構成されているが、この構成に限らない。複数の通信装置１０の各々は、例えば、電波を媒体として他の通信装置１０と通信を行うように構成されていてもよい。この場合、各通信装置１０の間で行う通信は、例えば、９２０ＭＨｚ帯の特定小電力無線通信である。各通信装置１０の間で行う通信は、例えば、無線ＬＡＮ通信であってもよい。
【００４５】
以上説明した本実施形態の通信装置１０は、通信信号を受信可能な通信回路１と、通信回路１が前記通信信号を受信するための受信感度を調節する調節部２とを備えている。また、通信装置１０は、通信回路１および調節部２を制御する制御回路３と、所望の通信ネットワーク２０に新規参入するための設定を行う設定部４とを備えている。制御回路３は、設定部４により前記設定が行われるときに、調節部２により前記受信感度を低下させるように構成されている。また、制御回路３は、設定部４により前記設定が完了した後に、調節部２により前記受信感度を上昇させるように構成されている。これにより、通信装置１０では、所望の通信ネットワーク２０に新規参入するときに異なる通信ネットワーク２０に誤参入するのを抑制可能で、かつ、新規参入した後に通信性能が低下するのを抑制可能となる。
【００４６】
通信装置１０は、所望の通信ネットワーク２０の構成要素である親機１１との間で通信可能な子機１２であることが好ましい。これにより、通信装置１０では、所望の通信ネットワーク２０において、親機１１との間で通信することが可能となる。
【００４７】
通信装置１０は、複数のネットワーク識別情報のうち１つのネットワーク識別情報を所望の通信ネットワーク２０のネットワーク識別情報と判断する判断部５を、更に備えていることが好ましい。また、通信装置１０は、通信回路１により受信された前記通信信号の受信品質レベルと当該通信信号に含まれたネットワーク識別情報とを記憶する記憶部６を、更に備えていることが好ましい。制御回路３は、設定部４により前記設定が行われるときに、記憶部６に記憶された前記受信品質レベルおよび前記ネットワーク識別情報に基づいて、前記ネットワーク識別情報ごとの前記受信品質レベルの統計データを作成するように構成されていることが好ましい。判断部５は、制御回路３により複数の前記統計データが作成された後、前記複数の前記統計データのうち前記受信品質レベルが相対的に高い前記統計データの前記ネットワーク識別情報を、所望の通信ネットワーク２０のネットワーク識別情報と判断するように構成されていることが好ましい。これにより、通信装置１０では、所望の通信ネットワーク２０に新規参入するとき、異なる通信ネットワーク２０に誤参入するのを、より抑制することが可能となる。
【００４８】
また、以上説明した本実施形態の通信システム３０は、通信装置１０を、複数備えている。これにより、通信システム３０では、所望の通信ネットワーク２０に新規参入するときに異なる通信ネットワーク２０に誤参入するのを抑制可能で、かつ、新規参入した後に通信性能が低下するのを抑制可能な通信装置１０を備えた通信システム３０を、提供できる。
【００４９】
複数の通信装置１０それぞれの通信回路１は、前記通信信号を送信可能に構成されていることが好ましい。複数の通信装置１０の各々は、設定部４により前記設定が行われるときに、異なる通信装置１０から送信された前記通信信号を、複数回、受信するように構成されていることが好ましい。これにより、通信システム３０では、複数の通信装置１０それぞれの制御回路３により作成された複数の統計データの精度を高めることが可能となる。よって、通信システム３０では、複数の通信装置１０の各々が、所望の通信ネットワーク２０に新規参入するとき、異なる通信ネットワーク２０に誤参入するのを、より一層抑制することが可能となる。
【００５０】
（実施形態２）
本実施形態の通信装置１３の基本構成は、実施形態１の通信装置１０と同じであり、図４に示すように、通信装置１０における制御回路３とは異なる制御回路７を備えている点が実施形態１と相違する。なお、通信装置１３では、通信装置１０と同様の構成要素に同一の符号を付して説明を適宜省略する。
【００５１】
通信装置１３は、例えば、所望の通信ネットワーク２０の構成要素である親機１１との間で通信可能な子機１２である。
【００５２】
通信装置１３は、通信回路１と、調節部２と、制御回路７と、設定部４とを備えている。また、通信装置１３は、判断部８と、記憶部９とを、更に備えている。具体的に説明すると、制御回路７は、判断部８と、記憶部９とを備えている。
【００５３】
制御回路７は、通信回路１および調節部２を制御するように構成されている。制御回路７は、例えば、第２プログラムが搭載された第２マイクロコンピュータである。第２プログラムは、例えば、上記第２マイクロコンピュータに予め設けられた第２メモリ（図示せず）に記憶されている。制御回路７は、通信回路１と電気的に接続されている。また、制御回路７は、調節部２と電気的に接続されている。さらに、制御回路７は、設定部４と電気的に接続されている。
【００５４】
通信装置１３では、調節部２が制御回路７とは別体に構成されているが、この構成に限らない。調節部２は、制御回路７と一体に構成されていてもよい。この場合、調節部２は、例えば、上記第２マイクロコンピュータで実行される上記第２プログラムにより構成されていてもよい。
【００５５】
また、通信装置１３では、実行部１５が制御回路７と別体に構成されているが、この構成に限らない。実行部１５は、制御回路７と一体に構成されていてもよい。この場合、実行部１５は、例えば、上記第２マイクロコンピュータで実行される上記第２プログラムにより構成されていてもよい。
【００５６】
判断部８は、複数の通信ネットワーク２０のうち１つの通信ネットワーク２０を所望の通信ネットワーク２０と判断するように構成されている。言い換えれば、判断部８は、複数のネットワーク識別情報のうち１つのネットワーク識別情報を所望の通信ネットワーク２０のネットワーク識別情報と判断するように構成されている。判断部８は、例えば、上記第２マイクロコンピュータで実行される上記第２プログラムにより構成されている。
【００５７】
記憶部９は、通信回路１により受信された上記通信信号のＳＮ比と上記通信信号に含まれたネットワーク識別情報とを記憶するように構成されている。記憶部９は、例えば、上記第２メモリである。
【００５８】
制御回路７は、設定部４により上記設定が行われるときに、記憶部９に記憶されたＳＮ比およびネットワーク識別情報に基づいて、ネットワーク識別情報ごとのＳＮ比の統計データ（図５参照）を作成するように構成されている。図５中の横軸は、上記通信信号のＳＮ比を表している。図５中の縦軸は、頻度を表している。図５中の実線は、第１ネットワーク識別情報におけるＳＮ比の統計データを表している。図５中の一点鎖線は、第２ネットワーク識別情報におけるＳＮ比の統計データを表している。図５では、所望の通信ネットワーク２０が第１通信ネットワーク２０ａである場合の複数の統計データを表している。また、図５では、例えば、第１電力線２３にノイズが重畳された場合の複数の統計データを表している。また、図５では、各統計データにおいて、第１電力線２３に重畳されたノイズが２種類ある場合を表している。
【００５９】
判断部８は、制御回路７により複数の統計データが作成された後、複数の統計データのうちＳＮ比が相対的に高い統計データのネットワーク識別情報を、所望の通信ネットワーク２０のネットワーク識別情報と判断するように構成されている。図５に基づいて説明すると、判断部８は、制御回路７により複数の統計データが作成された後、複数の統計データのうちＳＮ比が相対的に高い統計データの第１ネットワーク識別情報を、所望の通信ネットワーク２０のネットワーク識別情報と判断する。これにより、通信装置１３では、所望の通信ネットワーク２０に新規参入するとき、異なる通信ネットワーク２０に誤参入するのを、より抑制することが可能となる。
【００６０】
また、制御回路７は、実施形態１の通信装置１０における制御回路３の機能を備えていてもよい。具体的に説明すると、記憶部９は、通信回路１により受信された上記通信信号の受信品質レベルと上記通信信号に含まれたネットワーク識別情報とを記憶するように構成されていてもよい。制御回路７は、設定部４により上記設定が行われるときに、記憶部９に記憶された受信品質レベルおよびネットワーク識別情報に基づいて、ネットワーク識別情報ごとの受信品質レベルの統計データ（図３参照）を作成するように構成されていてもよい。なお、以下では、説明の便宜上、ネットワーク識別情報ごとの受信品質レベルの統計データを「第１統計データ」と称することもある。また、以下では、説明の便宜上、ネットワーク識別情報ごとのＳＮ比の統計データを「第２統計データ」と称することもある。
【００６１】
そして、判断部８は、制御回路７により複数の第１統計データと複数の第２統計データとが作成された後、複数の第１統計データのうち受信品質レベルが相対的に高い第１統計データのネットワーク識別情報と、複数の第２統計データのうちＳＮ比が相対的に高い第２統計データのネットワーク識別情報とが、同じネットワーク識別情報であるときに、上記同じネットワーク識別情報を、所望の通信ネットワーク２０のネットワーク識別情報と判断するように構成されていてもよい。これにより、通信装置１３では、所望の通信ネットワーク２０に新規参入するとき、異なる通信ネットワーク２０に誤参入するのを、より一層抑制することが可能となる。
【００６２】
なお、本実施形態の通信装置１３は、例えば、実施形態１の通信システム３０に適用してもよい。
【００６３】
以上説明した本実施形態の通信装置１３は、複数のネットワーク識別情報のうち１つのネットワーク識別情報を所望の通信ネットワーク２０のネットワーク識別情報と判断する判断部８を、更に備えている。また、通信装置１３は、通信回路１により受信された前記通信信号のＳＮ比と当該通信信号に含まれたネットワーク識別情報とを記憶する記憶部９を、更に備えている。制御回路７は、設定部４により前記設定が行われるときに、記憶部９に記憶された前記ＳＮ比および前記ネットワーク識別情報に基づいて、前記ネットワーク識別情報ごとの前記ＳＮ比の統計データを作成するように構成されている。判断部８は、制御回路７により複数の前記統計データが作成された後、前記複数の前記統計データのうち前記ＳＮ比が相対的に高い前記統計データの前記ネットワーク識別情報を、所望の通信ネットワーク２０のネットワーク識別情報と判断するように構成されている。これにより、通信装置１３では、所望の通信ネットワーク２０に新規参入するとき、異なる通信ネットワーク２０に誤参入するのを、より抑制することが可能となる。
【符号の説明】
【００６４】
１  通信回路
２  調節部
３  制御回路
４  設定部
５  判断部
６  記憶部
７  制御回路
８  判断部
９  記憶部
１０  通信装置
１１  親機
１２  子機
１３  通信装置
２０  通信ネットワーク
３０  通信システム
【図１】
0006358537.tif 000002
【図２】
0006358537.tif 000003
【図３】
0006358537.tif 000004
【図４】
0006358537.tif 000005
【図５】
0006358537.tif 000006